(57)【要約】【課題】好感度、かつ、かざすだけの快適操作が可能なＩＣチップ内蔵カードの読取装置を提供する。【解決手段】ＩＣチップ内蔵カード読取装置の読取り部１０３に、ICチップ内蔵カード２００をかざすときにICチップ内蔵カードのアンテナ部に指がかからない保持の仕方に誘導する誘導手段５０２を設ける。そして、ICチップ内蔵カードをかざす位置を示唆する表示６００を誘導手段を設けた読取り面に表示し、さらに、誘導手段の形状を、ICチップ内蔵カードを置いて指で押し付けてしまわない形状にする。【選択図】図１
2006260126.tif 000002
【特許請求の範囲】
【請求項１】
アンテナを内蔵した読取り面と、
前記読取り面にICチップ内蔵カードをかざす位置を示す位置決めマークとを備えたＩＣチップ内蔵カード読取装置であって、
前記読取り面は、前記位置決めマークの幅方向中央から偏心した位置に設けられた前記読取り面を左右に分断する段差により高さの異なる第一の読取り面と第二の読取り面とを備え、
前記第一の読取り面は前記位置決めマークの幅方向中央部を含み前記第二の読取り面に対して所定の高さ高く構成されていることを
特徴とするＩＣチップ内蔵カードの読取装置。
【請求項２】
前記第一の読取り面は前記位置決めマークの短手方向の幅より細く、
前記位置決めマークの長手方向に長いことを
特徴とする請求項１に記載のＩＣチップ内蔵カードの読取装置。
【請求項３】
前記読取り面は、前記第一の読取り面の左右両側に段差を有し、前記第一の読取り面の左右両側に前記第二の読取り面を備えることを特徴とする請求項１または２に記載のＩＣチップ内蔵カードの読取装置。
【請求項４】
アンテナを内蔵した読取り面と、
ＩＣチップ内蔵カードを読取る際のカード保持位置を誘導する誘導手段とを備え、
前記誘導手段は、前記読取り面に設けられたICチップ内蔵カードをかざす位置を示す位置決めマークと、前記位置決めマークの中央を含む位置に設けられた突出部とを含み、
前記突出部は、ＩＣチップ内臓カードの長手方向よりも長く、幅方向よりも細く、かつ、前記読取り面から所定の高さ突出した突起物である
ことを特徴とするＩＣチップ内蔵カードの読取装置。
【請求項５】
前記突起物は前記位置決めマークを左右に分断するように配置され、その前端部が前記読取装置の前端部から所定の長さ突出する
ことを特徴とする請求項４に記載のＩＣチップ内蔵カードの読取装置。
【請求項６】
ＩＣチップ内蔵カードの読取り装置と、情報を送受信するための通信手段とを備えたＩＣチップ内蔵カード用端末装置であって、
前記読取装置は、アンテナを内蔵した読取り面と、前記読取り面にICチップ内蔵カードをかざす位置を示す位置決めマークとを備え、
前記読取り面は、前記位置決めマークの幅方向中央から偏心した位置に設けられた前記読取り面を左右に分断する段差により高さの異なる第一の読取り面と第二の読取り面とを備え、
前記第一の読取り面は前記位置決めマークの幅方向中央部を含み前記第二の読取り面に対して所定の高さ高く構成されていることを
特徴とするＩＣチップ内蔵カード用端末装置。
【発明の詳細な説明】
【技術分野】
【０００１】
本発明は、ICチップ内蔵カードを媒体に、ＩＤ認証や自動取引などをおこなう端末装置に用いるICチップ内蔵カードの読取り装置に関するものである。
【背景技術】
【０００２】
ＩＤ認証を行う技術として、半導体チップを備えたICチップ内蔵カードをカード読取り部で認識し、ICチップから読み取った信号と予めデータベースに格納されている信号とを照し合わせることによりＩＤ認証する技術が知られている。ICチップ内蔵カードには、電波を受信するためのアンテナをICチップから伸びるようにカード面に備えたものがある。この従来例は、例えば、2005年日本国際博覧会（愛  地球博）の前売り入場券にある。
【０００３】
一方、ＩＣチップ内蔵カード読取り装置の読取り部は平らな読取り面で構成され、カードをかざしてカードと読取り面とを接近させると、読取り部からの電波をカード内のアンテナが受信して通信が行われ、ICチップ内の情報を読取る。このことから、ＩＣチップ内蔵カードの読取装置は、カードを読取り部にかざすだけの、簡単な読取り操作を提供していることが知られている。このようなＩＣチップ内蔵カードの読取装置の従来例は例えば、意匠登録第１２０２０６８号にある。
【０００４】
【特許文献１】意匠登録１２０２０６８号公報
【発明の開示】
【発明が解決しようとする課題】
【０００５】
従来例では、ICチップ内蔵カードをそのアンテナ部に指がかかった状態で保持し、その状態で読取り部にかざすことがあった。この状態では、指でICチップ内蔵カードのアンテナを触れていることから、望ましい感度が得られず、読取り部がICチップ内の情報を読取れないことがあった。
【０００６】
また、読取りエラーを回避しようとして、平らな読取り面にICチップ内蔵カードを置き、置く操作中に指でICチップ内蔵カードを押さえると、押さえた指がICチップ内蔵カードのアンテナに触れるために、望ましい感度が得られず、読取り部がICチップ内の情報を読取れないことがあった。
【０００７】
本発明は上記課題を解決するためになされたものであり、その目的は、読取り部にICチップ内蔵カードをかざすときにICチップ内蔵カードのアンテナ部に指がかからず、望ましい読取り感度が得られ、かつ、読取り部にICチップ内蔵カードを置くことなく、かざすだけの快適な操作が可能なICチップ内蔵カードの読取装置を提供することにある。
【課題を解決するための手段】
【０００８】
本発明では、上記目的を達成するために、ＩＣチップ内蔵カード読取装置の読取り部に、ICチップ内蔵カードをかざすときにICチップ内蔵カードのアンテナ部に指がかからない保持の仕方に誘導する誘導手段を設ける。そして、ICチップ内蔵カードをかざす位置を示唆する表示を誘導手段を設けた読取り面に表示し、さらに、誘導手段の形状を、ICチップ内蔵カードを置いて指で押し付けてしまわない形状にする。
【０００９】
具体的には、アンテナを内蔵した読取り面に、ICチップ内蔵カードをかざす位置を示す位置決めマークと、位置決めマークの幅方向中央から偏心した位置に読取り面を左右に分断する段差を設け、高さの異なる第一の読取り面と第二の読取り面とを備えた構成とする。
【００１０】
読取り面に設ける誘導手段により、ICチップ内蔵カードを保持する指が自然に、ICチップ内蔵カード中央長手方向のアンテナ部から離れる。このことにより、指でICチップ内蔵カードのアンテナを触れないので、望ましい読取り感度が得られ、読取り部にICチップ内蔵カードを置くことなく、かざすだけの操作でICチップ内蔵カード内の情報を読取ることができる。
【発明の効果】
【００１１】
本発明によれば、指でアンテナに触れることによる読取り感度の低減を防ぎ、、ICチップ内蔵カードを読取り部にかざすだけで、ICチップ内蔵カード内のICチップから情報を読取ることができる快適な操作のＩＣカード読取装置を提供することができる。
【発明を実施するための最良の形態】
【００１２】
以下、本発明に係るICチップ内蔵カードの読取り装置の実施の形態を図１から図６を参照して詳細に説明する。図１から図４が第１の実施の形態を示し、図５は第２の実施の形態を示し、図６は第３の実施の形態を示している。
この説明においては、同一の部位や機能、矢印などは同一符号をもって示し重複した説明を省略する。
【００１３】
まず、図１を参照して、本発明の第１の実施の形態に係るICチップ内蔵カードの読取り装置の概略構造を説明する。図１は第１の実施の形態に係るICチップ内蔵カードの読取り装置の概略全体構成図およびＩＣカード読取部を拡大して示した概略図である。
【００１４】
図１は展覧会の入場ゲートや改札などの入場管理システムの概略を示している。ICチップ内蔵カードを媒体にしてカードの長手方向を縦位置にしてかざすことで認証を行い、ゲートを開閉するサービスを提供する、認証端末の例である。
【００１５】
図１の符号１００で統括的に示すのは、ＩＤ認証のための通信機能を備えた認証端末である。この認証端末１００は、筐体１０１に画面タッチ操作機能を備えた表示部１０２と、筐体１０１の例えば水平面などに取り付けた、ICチップ内蔵カードの読取り装置１０３と、レシートあるいは券などを発行する発券口１０４を備えている。
【００１６】
この認証端末１００は通信ネットワークを通じて、ホストコンピューター３００と接続している。ホストコンピュータ３００は、制御部３０１とデータサーバ３０２で構成される。このホストコンピュータ３００には、通信ネットワークを通じて、例えば、制御信号により開閉する扉４０１を備えたゲート端末４００と接続した構成になっている。
【００１７】
ICチップ内蔵カードの読取り装置１０３の拡大図において、符号５００で示すのは読取り面であり、その内部には読取り用のアンテナ５０１を備えている。読取り面５００には誘導手段５０２を備えている。さらに、読取り面５００には、ICチップ内蔵カードをかざす位置を示す印やグラフィックなどのマーク６００が施されている。誘導手段５０２は突起形状を成し、読取り面５００からの突出５１１がある。この例では、読取り面５００前方にも突出５１２を形成して、L字型の側面形状を成す誘導手段５０２を示している。
【００１８】
符号２００で示すのは、使用者が所持する、ICチップ内蔵カードの一例である。この例では、ICチップ内蔵カード２００はそのほぼ中央にICチップ２０１を備え、このICチップ２０１はICチップ内蔵カード２００の長手方向に伸びるアンテナ２０２と接続されている。
【００１９】
図１における全体構成の作用を説明する。認証端末１００は、使用者への案内や操作方法や操作ボタンなどを表示部１０２に表示する。また、使用者の操作に対して処理した結果を表示したり、ホストコンピュータ３００と通信を行い、制御部３０１の処理結果を表示する。使用者はICチップ内蔵カード２００を所持し、表示部１０２の案内に従い、読取り部１０３にICチップ内蔵カード２００をかざす。このときに使用者が読取り面５００のマーク６００に合わせてICチップ内蔵カード２００をかざすと、誘導手段５０２によりアンテナ２０２から指を離した姿勢になり、アンテナ５０１が発生する電波をアンテナ２０２が良好に受け、ICチップ２０１の情報を読取り部１０３を通じて認証端末１００に読み込ませることができる。認証端末１００は読込んだICチップ２０１の情報をホストコンピュータ３００に送る。制御部３０１はサーバ３０２に格納されているデータを参照し、ICチップ２０１の情報と照合する。その結果得られた処理内容により、サービスを実行するか否かを判断し、判断結果を認証端末１００へ送り返す。また、必要に応じて判断結果に基づいた情報をサーバ３０２に記憶させる。さらに、制御部３０１は判断結果に基づき、制御信号をゲート端末４００へ送り、扉４０１の開閉状態を制御する。
【００２０】
一方、制御部３０１の判断結果を受けた認証端末１００は、判断結果に基づいた案内を表示部１０２に表示し、必要に応じて発券口１０４からレシートを出力する。
この構成により、ICチップ内蔵カードを読取り部１０３にかざすときに、誘導手段502によってカードを保持する指の位置がアンテナ以外の部分に誘導されるので、指で読取り感度を低減させることなく、ICチップ内蔵カード内のICチップから情報を読取ることができ、ICチップ内蔵カードを読取り面に置いてしまうことなく、読取りエラーの起こりにくい、かざすだけの快適な操作が行える。
【００２１】
以下、読取り部にICチップ内蔵カードをかざすときにICチップ内蔵カードのアンテナ部に指がかからない保持の仕方に誘導する手段について、詳細に説明する。
図２を用い、読取り装置１０３の使用状況を説明する。図２の（ａ）図は図１の読取り装置１０３を拡大した概略図に対して、使用者がICチップ内蔵カード２００を読取り装置１０３にかざそうとする状況を示している。使用者の手を符号７００で示した。
【００２２】
図２の（ｂ）は図２の（ａ）図の側面図を示している。図２の（ｂ）の符号７１０は保持する指の厚さ寸法を示し、符号７１１は指でカードを保持する深さ寸法を示す。
図２の（ａ）図で示すICチップ内蔵カードをかざそうとするとき、ICチップ内蔵カード２００を指でつまむようにして保持している。この持ち方はカードをかざす動作で一般的に考えられる保持の仕方である。使用者はICチップ内蔵カード２００を安定的に保持しようとするため、カードの中央付近を保持する。このとき、ICチップ内蔵カード２００の中央付近に配置されたアンテナ２００に指がかかる状態が生じる可能性がある。
【００２３】
読取り面５００にはマーク６００が施され、ICチップ内蔵カードをかざす位置を案内する。マーク６００で案内するカードをかざす位置は、読取り面５００のほぼ中央にあり、幅方向の中心に合わせて誘導手段５０２が設けられている。誘導手段５０２はマーク６００で案内するカードをかざす位置の幅方向よりも細く、ICチップ内蔵カードの長手方向よりも長い。また、誘導手段５０２の突出５１１は図２の（ｂ）で示すカードを保持する指の厚さ寸法７１０に相当し、１３ｍｍ程度の高さがある。指の厚さに近い１０〜２０ｍｍであれば、誘導手段として有効である。また、誘導手段５０２がL字型の側面形状を成している場合の前方への突出５１２は、図２の（ｂ）で示す指でカードを保持する深さ７１１相当の１３ミリ程度の寸法がある。
【００２４】
誘導手段５０２のＬ字型に折れ曲がるコーナーにはR面を付け、外形周囲にはR面またはC面などの処理をつける。また誘導手段５０２の直線部分や平面部分に大きな曲線を用いても構わない。
このことにより、ICチップ内蔵カードを読取り面５００にかざそうとすると、ICチップ内蔵カードを保持する指が誘導手段の突出に触れ、使用者は誘導手段に指が触れないようにICチップ内蔵カードをかざそうとする。また、誘導手段のR面や大きな曲線により、指が触れても痛くない形状になっている。
【００２５】
次に図３を用いて、ICチップ内蔵カードをかざす位置の案内について説明する。
図３の（ａ）図で示すのは図１で示した読取り装置１０３を拡大した概略図の読取り面５００の上面図である。図３の（ｂ）図は使用者がICチップ内蔵カード２００をかざしたところの使用状態図である。
【００２６】
図３の（ａ）図の符号６００で示すマークは、ICチップ内蔵カード２００の外形を模した図案と使用者の手７００を模した図案と、その位置がアンテナであったり、読取り操作を行う部位であることを使用者に感じさせるような図案などから成る。符号６００の主にICチップ内蔵カード外形を模した図案により、使用者に自身が保持するICチップ内蔵カード２００を図案の位置にあわせてかざすことを意識させている。
【００２７】
ここで、マーク６００で示す図案はICチップ内蔵カード２００をその位置にかざすことを使用者に伝えるものであればよく、図案はこの実施例の限りではない。
また、マーク６００は、誘導手段５０２の中心にICチップ内蔵カード２００を模した図案の中心を合わせた位置で表示している。このことにより、使用者は誘導手段５０２の中心にICチップ内蔵カード２００の中心を略同一位置となるようにかざす動作をすると期待できる。
【００２８】
図３の（ｂ）図でICチップ内蔵カードをかざした状態を説明する。
ICチップ内蔵カード２００は読取り面５００に備えられた誘導手段５０２の上部にかざすことになるが、このときに、誘導手段５０２と読取り面５００との間に形成された突出５１１があることで、使用者の手７００の指部分の厚みを気にせずにICチップ内蔵カード２００を誘導手段５０２の上部にかざすことができる。また、このときに符号６００のマークにより案内する位置に、ICチップ内蔵カード２００をかざそうとする意識が使用者にあるので、誘導手段５０２が設けられているために、使用者はICチップ内蔵カード２００を誘導手段５０２の上方へ差し出す持ち方をする。この差し出す持ち方に移行した状態では、ICチップ内蔵カード２００の端部を保持するようになり、アンテナ２０２から指が離れた状態に誘導することができる。
【００２９】
図４の（ａ）図で示すのは図１で示した読取り装置１０３を拡大した概略図の読取り面５００の上面図において、使用者がICチップ内蔵カード２００をかざした状況を示す。また、図４の（ｂ）図は、図４の（ａ）図の誘導手段５０２がなかった場合の使用状況図である。
【００３０】
図４の（ａ）図は読取り面５００のほぼ中心に誘導手段５０２があり、誘導手段５０２は読取り面５００前方に突出５１２を成している。誘導手段５０２により使用者の手７００が読取り面５００の中心から外れた位置に誘導される。また、突出５１２があることで、読取り面５００の手前側からカードをかざす使用者の手７００が、より手前側から誘導されるので、誘導手段５０２に誘導されやすくすることができる。
【００３１】
図４の（ｂ）図は、誘導手段５０２がなかった場合の使用状況図であるが、誘導手段がなければ、使用者の手７００はICチップ内蔵カード２００の中央部分を保持したまま、ICチップ内蔵カード２００を読取り面５００にかざしてしまう状況が生じている。
このように、誘導手段５０２はＩＣチップ内蔵カード２００を保持する指がアンテナ２００から離れた位置でカードを保持し、読取り面５００にかざすように誘導するのに有効に作用する。
【００３２】
以上のように、本実施形態によれば、ICチップ内蔵カードを読取り部１０３にかざすときに、ICチップ内蔵カードをかざす位置を案内するマーク６００にしたがってカードをかざそうとすると、誘導手段502によってカードを保持する指の位置がアンテナ以外の部分に誘導されるので、指で読取り感度を低減させることなく、ICチップ内蔵カード内のICチップから情報を読取ることができ、ICチップ内蔵カードを読取り面に置いてしまうことなく、読取りエラーの起こりにくい、かざすだけの快適な操作が行える。
【００３３】
また、既に使用されている読取装置の読取り面に位置決めマーク６００と誘導手段５０２を付加することによっても本実施形態を実現することができる。
さらに、誘導手段の両側に段差があるので、左右いずれの方向からも容易にカードをかざすことができる。
【００３４】
図５を参照して、本発明の第２の実施の形態に係るICチップ内蔵カードの読取り装置の概略構造を説明する。ここでは、主に第１の実施の形態と異なる部分を説明する。
図５の（ａ）図で統括的に示すのは、図１で示した認証端末１００の読取り装置１０３を拡大した概略図である。図５の（ｂ）図は使用者がICチップ内蔵カード２００をかざしたところの使用状態図である。
【００３５】
図５の（ａ）図の読取り面５００にはICチップ内蔵カードをかざす位置を案内するマーク６００が施されている。マーク６００で案内するカードをかざす位置は、読取り面５００のほぼ中央にある。また、位置決めマーク６００の幅方向中央から偏心した位置に、読取り面５００を左右に分断する段差５０３がある。この段差５０３により読取り面５００は位置決めマーク６００の幅方向中央が含まれる、第一の読取り面と、残りの第二の読取り面に分割される。第一の読取り面は第１の実施の形態の図２（ｂ）で示した指の厚さ寸法７１０に相当する高さがあり、第二の読取り面よりも高い。このことにより、ICチップ内蔵カードを読取り面５００にかざそうとすると、ICチップ内蔵カードを保持する指が段差５０３に触れ、使用者は段差５０３に指が触れないようにICチップ内蔵カードをかざそうとする。
【００３６】
図５の（ｂ）図でICチップ内蔵カードをかざした状態を説明する。
ICチップ内蔵カード２００は読取り面５００の第一の読取り面にかざすことになるが、このときに、第二の読取り面との間に形成された段差５０３があることで、使用者の手７００の指部分の厚みを気にせずにICチップ内蔵カード２００を第一の読取り面上部にかざすことができる。また、このときに符号６００のマークにより案内する位置に、ICチップ内蔵カード２００をかざそうとする意識が使用者にあるので、段差５０３が設けられているために、使用者はICチップ内蔵カード２００を第一の読取り面の上方へ差し出す持ち方をする。この差し出す持ち方に移行した状態では、ICチップ内蔵カード２００の端部を保持するようになり、アンテナ２０２から指を離した状態に誘導することができる。
【００３７】
第２の実施の形態によれば、読取り面５００を段差のある第一の読取り面と第二の読み取り面とすることにより、読取り部の部品点数が少なく、段差が一段の簡易な構造によりカードを保持する指の位置およびカードをかざす位置を誘導することができる。
【００３８】
図６を参照して、本発明の第３の実施の形態に係るICチップ内蔵カードの読取り装置の概略構造を説明する。ここでは、主に第１の実施の形態と異なる部分を説明する。
図６の（ａ）図で統括的に示すのは、図１で示した認証端末１００の読取り装置１０３を拡大した概略図である。図６の（ｂ）図は使用者がICチップ内蔵カード２００をかざしたところの使用状態図である。
【００３９】
図６の（ａ）図の読取り面５００にはICチップ内蔵カードをかざす位置を案内する、マーク６００が施されている。マーク６００で案内するカードをかざす位置は、読取り面５００のほぼ中央にある。また、位置決めマーク６００の幅方向中央には、マーク６００の幅方向中央部分が含まれ、マーク６００で案内するカードをかざす位置の幅方向よりも細く、ICチップ内蔵カードの長手方向よりも長く、他の部分よりも高く形成された第一の読取り面５０４がある。この第一の読取り面５０４は第１の実施の形態の図２（ｂ）で示した指の厚さ寸法７１０に相当する高さがある。また、第一の読取り面５０４の幅方向の両側には、第１の読取り面よりも低い第２の読取り面がある。このことにより、ICチップ内蔵カードを読取り面５００にかざそうとすると、ICチップ内蔵カードを保持する指が第一の読取り面と第二の読取り面の段差部分に触れ、使用者はこの段差部分に指が触れないようにICチップ内蔵カードをかざそうとする。
【００４０】
図６の（ｂ）図でICチップ内蔵カードをかざした状態を説明する。
ICチップ内蔵カード２００は読取り面５００の第一の読取り面５０４上にかざすことになるが、このときに、第一の読取り面と第二の読取り面に段差があることで、使用者の手７００の指部分の厚みを気にせずにICチップ内蔵カード２００を第一の読取り面５０４上にかざすことができる。また、このときに符号６００のマークにより案内する位置に、ICチップ内蔵カード２００をかざそうとする意識が使用者にあり、第二の読取り面よりも高い位置に第一の読取り面５０４が設けられているために、使用者はICチップ内蔵カード２００を第一の読取り面５０４の上方へ差し出す持ち方をする。この差し出す持ち方に移行した状態では、ICチップ内蔵カード２００の端部を保持するようになり、アンテナ２０２から指を離した状態に誘導することができる。
【００４１】
第３の実施の形態によれば、第一の読取り面５０４を両側より高く形成することにより、読取り部の部品点数が少ない簡易な構造によりカードを保持する指の位置およびカードをかざす位置を誘導することができる。さらに、第一の読取り面５０４の両側に段差があるので、左右いずれの方向からも容易にカードをかざすことが可能である。  
【図面の簡単な説明】
【００４２】
【図１】第１の実施の形態に係るICチップ内蔵カードの読取り装置の概略全体構成図およびＩＣカード読取部を拡大して示した概略図である。
【図２】読取り装置の使用状況を説明する図である。
【図３】ICチップ内蔵カードをかざす位置の案内について説明する図である。
【図４】読取り面の上面図において、使用者がICチップ内蔵カードをかざした状況を示す図である。
【図５】第２の実施の形態に係るICチップ内蔵カードの読取り装置の概略構造を説明する図である。
【図６】第３の実施の形態に係るICチップ内蔵カードの読取り装置の概略構造を説明する図である。
【符号の説明】
【００４３】
１００・・・認証端末、１０１・・・筐体、１０２・・・表示部、１０３・・・読取り装置、１０４・・・発券口、２００・・・ICチップ内蔵カード、２０１・・・ICチップ、２０２・・・アンテナ、３００・・・ホストコンピュータ、３０１・・・制御部、３０２・・・データサーバ、４００・・・ゲート端末、４０１・・・扉、５００・・・読取り面、５０１・・・アンテナ、５０２・・・誘導手段、５０３・・・段差、５０４・・・突出、５１１・・・突出、５１２・・・突出、６００・・・マーク、７００・・・手、７１０・・・指厚さ寸法、７１１・・・指深さ寸法。
【図１】
2006260126.tif 000003
【図２】
2006260126.tif 000004
【図３】
2006260126.tif 000005
【図４】
2006260126.tif 000006
【図５】
2006260126.tif 000007
【図６】
2006260126.tif 000008